(57)【特許請求の範囲】
【請求項１】
タブ紙のタブ部を含む記録媒体に画像形成可能な画像形成手段と、
タブ紙給紙段を表示手段上でユーザーに指定させるタブ紙給紙段指定手段と、
タブ紙インサートモードを指定して、画像形成時に前記タブ紙給紙段からのタブ紙をインサートするページ、タブ紙のタブ分割数、および所定の画像をタブ紙のタブ部へ移動させる移動量を各々ユーザーに設定させるタブ紙インサートモード設定手段と、
タブ紙インサートモードにおける画像形成時に、前記タブ紙給紙段指定手段によって指定されたタブ紙給紙段からの前記タブ紙インサートモード設定手段によって設定されたタブ分割数のタブ紙を、前記タブ紙インサートモード設定手段によって設定されたページにインサートし、前記タブ紙インサートモード設定手段によって設定された移動量を参照して所定の画像をタブ紙のタブ部に移動するように、前記画像形成手段を制御する制御手段とを具え、
前記タブ紙給紙段指定手段によるタブ紙給紙段の設定がされたことに応じて、前記タブ紙インサートモード設定手段による設定を可能にすることを特徴とする画像形成装置。
【請求項２】
請求項１において、
前記タブ紙インサートモード設定手段は、前記表示手段上で、前記タブ分割数、前記移動量およびインサートするページを順次設定可能であることを特徴とする画像形成装置。
【請求項３】
請求項１において、
前記タブ紙インサートモード設定手段は、前記表示手段上で、前記タブ分割数および前記移動量を並行的に設定可能であることを特徴とする画像形成装置。
【請求項４】
請求項１において、
前記タブ紙インサートモード設定手段は、前記移動量の単位を選択させることが可能な移動量単位選択手段を有することを特徴とする画像形成装置。
【請求項５】
タブ紙のタブ部を含む記録媒体に画像形成可能な画像形成手段と、
タブ紙給紙段を表示手段上でユーザーに指定させるタブ紙給紙段指定手段と、
タブ紙作成モードを指定して、タブ紙のタブ分割数、および所定の画像をタブ紙のタブ部へ移動させる移動量を各々ユーザーに設定させるタブ紙作成モード設定手段と、
タブ紙作成モードにおける画像形成時に、前記タブ紙給紙段指定手段によって指定されたタブ紙給紙段からの前記タブ紙作成モード設定手段によって設定されたタブ分割数のタブ紙のタブ部に、前記タブ紙作成モード設定手段によって設定された移動量を参照して所定の画像を移動するように、前記画像形成手段を制御する制御手段とを具え、
前記タブ紙給紙段指定手段によるタブ紙給紙段の設定がされたことに応じて、前記タブ紙作成モード設定手段による設定を可能にすることを特徴とする画像形成装置。
【請求項６】
請求項５において、
前記タブ紙作成モード設定手段は、前記表示手段上で、前記タブ分割数および前記移動量を順次設定可能であることを特徴とする画像形成装置。
【請求項７】
請求項５において、
前記タブ紙作成モード設定手段は、前記表示手段上で、前記タブ分割数および前記移動量を並行的に設定可能であることを特徴とする画像形成装置。
【請求項８】
請求項５において、
前記タブ紙作成モード設定手段は、前記移動量の単位を選択させることが可能な移動量単位選択手段を有することを特徴とする画像形成装置。
【発明の詳細な説明】
【０００１】
【発明の属する技術分野】
本発明は、タブ紙の処理を効率的に行える複写機等の画像形成装置に関する。
【０００２】
【従来の技術】
従来、画像形成装置において、コピーなどで原稿を読み込む、またはＰＤＬ（ページ記述言語）からの画像から指定されたモードにしたがって１ジョブのコピー、またはプリント中に任意の位置に定形サイズの指定された給紙段の用紙を挿入できるものが存在していた。
【０００３】
また、一方で１ジョブのコピーにおいて、定形サイズの用紙にタブ部分を付与したタブ紙へのコピーとそのタブ紙の挿入部分を指定できる複写機が存在している。
【０００４】
【発明が解決しようとする課題】
しかしながら、これまでのタブ紙へのコピーを行うときの設定において、操作表示上にタブ紙の給紙段がどこになっているのかを示すものはなかった。このため、ユーザーはタブ紙を載置した給紙段を通常の給紙段としてタブ紙給紙段の選択を行っており、タブ紙給紙段指定を間違えてしまうなどの不具合があった。
【０００５】
そこで、本発明では、以上のような問題を解消した画像形成装置を提供することにある。
【０００６】
【課題を解決するための手段】
請求項１の発明は、タブ紙のタブ部を含む記録媒体に画像形成可能な画像形成手段と、タブ紙給紙段を表示手段上でユーザーに指定させるタブ紙給紙段指定手段と、タブ紙インサートモードを指定して、画像形成時に前記タブ紙給紙段からのタブ紙をインサートするページ、タブ紙のタブ分割数、および所定の画像をタブ紙のタブ部へ移動させる移動量を各々ユーザーに設定させるタブ紙インサートモード設定手段と、タブ紙インサートモードにおける画像形成時に、前記タブ紙給紙段指定手段によって指定されたタブ紙給紙段からの前記タブ紙インサートモード設定手段によって設定されたタブ分割数のタブ紙を、前記タブ紙インサートモード設定手段によって設定されたページにインサートし、前記タブ紙インサートモード設定手段によって設定された移動量を参照して所定の画像をタブ紙のタブ部に移動するように、前記画像形成手段を制御する制御手段とを具え、前記タブ紙給紙段指定手段によるタブ紙給紙段の設定がされたことに応じて、前記タブ紙インサートモード設定手段による設定を可能にすることを特徴とする。
【００２２】
【発明の実施の形態】
図１は、本発明の実施例の画像形成装置における制御回路の回路構成を示すブロック図である。
【００２３】
図中１００は、画像読取り部や画像形成部などの駆動制御を行なうための画後形成装置の本体制御部であって、ＣＰＵと、このＣＰＵの作業領域を提供するＲＡＭと、後述する各動作モードを実行するためのプログラムを含む画像形成装置全体の制御プログラムを格納したＲＯＭとを有する。
【００２４】
例えば、この本体制御部１００は、ＣＣＤ１０１によって読取られた画像データを画像処理部１０２において、所望の画像データに変換し、画像データセレクタ１０３において、読取った画像データを、レーザーユニット１０４、画像データ圧縮部１０７、画像メモリ１０８、ファンクション制御部１０９のどれに流すかを制御し、また、原稿給送装置１１６に対して、原稿給送の命令を出したり、後処理装置１１７に対して、どのようなモードを設定するかを指示したりする画像形成装置の装置制御や画像データ制御を行い、さらに、後述のタブ紙インサートモード、タブ紙作成モードを実行する。
【００２５】
１０１はＣＣＤであり、原稿台、原稿照射部、光学系などからなる画像読取部１１８から原稿照射によって得られる原稿画像の反射光をとらえて光電変換し、画像データを出力する。１０２の画像処理部では、ＣＣＤ１０１から出力される画像データに対して操作部１１９によって設定される画像処理機能に対応した画像処理を行なう。１０３は、後述するレーザーユニット１０４、画像データ圧縮部１０７、画像メモリ１０８、ファンクション制御部１０９と画像データバスが接続されており、画像データの流れを決定する本体制御部１００の制御情報により、画像データの流れる方向を選択する画像データセレクタである。
【００２６】
１０４は、画像データを用紙に現像する画像形成部１０５に対して、レーザー露光を行なうレーザーユニットである。１０５は、前述のように、レーザー露光された画像データを実際に用紙に現像する画像形成部である。１０６は、本体制御部１００と後述するファンクション制御部１０９との間で制御情報の通信を行なうためのＣＰＵ間通信Ｉ／Ｆ（インターフェイス）である。１０７は、画像データセレクタ１０３から出力された画像データを大容量不揮発性メモリであるハードディスク（ＨＤ）に蓄積する際に、ＨＤ上での画像データの占有率を節約するために、画像データを圧縮し、またＨＤ上の圧縮された画像データを画像データセレクタヘ転送する際に元の画像データに伸長する画像データ圧縮／伸長部である。１０８は、画像データセレクタから送られてくる画像データを一時的に記憶したり、画像データセレクタに対して一時記憶した画像データを転送するための揮発性メモリからなる画像メモリである。
【００２７】
１０９は、本体制御部１００と通信を行ない、画像データセレクタ１０３から送られてきた画像データを後述するスキャン画像変換部へ流したり、後述するネットワーク通信Ｉ／Ｆ１１５から送られてくるプリント画像データを変換するプリント画像変換部１１４から送られてくる画像データを画像データセレクタ１０３へ流すための画像データ制御情報や、本体の操作部１１９からの画像形成装置制御情報をＣＰＵ間の通信を行なうＣＰＵ間通信Ｉ／Ｆを介して、本体制御部１００と通信するファンクション制御部である。
【００２８】
１１０は、後述するＨＤ制御部１１１と本体制御部１００との間で、ＨＤに記憶される画像データの制御情報の通信を行なうＣＰＵ間通信Ｉ／Ｆである。１１１は、画像データ圧縮／伸長部１０７から流されてくる画像データをＨＤ１１２に書き込んだり、ＨＤ１１２に記憶されている画像データを読み出して、画像データ圧縮伸長部へ流すような制御をＣＰＵ間通信Ｉ／Ｆ１１０を通して送られてくる本体制御部１００からの制御情報に基づいて行なうＨＤ制御部である。
【００２９】
１１２は、ＨＤ制御部１１１の制御に基づいて、画像データ圧縮／伸長部から送られてくる、または送る画像データの書き込み、読み出しが行われる不揮発性メモリであるＨＤである。１１３は、スキャン画像変換部であって、本体制御部１００の制御に基づいて画像データセレクタ１０３から流される画像データを、後述するネットワーク通信Ｉ／Ｆ１１５においてネットワーク接続されるホストコンピュータ上で動作するアプリケーションソフトにおいて読み込みが可能となるように変換する。１１４は、後述するネットワーク通信Ｉ／Ｆ１１５においてネットワーク接続されるホストコンピュータ上で動作するアプリケーションソフトから転送されてくるＰＤＬによって記述された画像データを画像形成装置の画像形成部１０５において印字出力できるような画像データに変換するプリント画像変換部である。
【００３０】
１１５は、画像形成装置とネットワーク接続するための通信Ｉ／Ｆであり、特定の通信規約（プロトコル）に基づいて、ネットワーク上の機器（コンピュータなど）と画像データや制御情報の通信を行なう。１１６は、図３において詳述する複数の原稿を原稿台まで給送する原稿給送装置を制御する原稿給送装置制御部であり、本体制御部１００からの制御情報に基づいて原稿を給送する。１１７は、図２において詳述する出力用紙の後処理を行なう後処理装置制御部であり、本体制御部１００からの制御情報に基づいて出力紙の後処理を行なう。１１８は、原稿照射手段、光学手段などを備える光学ユニットを駆動する光学ユニット駆動装置を備える原稿読取部であり、装置制御部からの制御情報に基づいて、原稿照射を行い、光学ユニットを駆動することにより、ＣＣＤ１０１に、原稿画像の反射光を与える。
【００３１】
１１９は、本発明の実施例である画像形成装置の操作部である。操作部１１９から入力されたキーの情報をファンクション制御部１０９に通知し、ファンクション制御部で、キーのコマンド解析を行ない、本体制御部１００に対して、装置の動作制御情報をＣＰＵ間Ｉ／Ｆ１０６を通して通知する。
【００３２】
この図１の回路構成における基本的な動作を説明するために、５０％の縮小コピーを例として、簡単に説明する。まず操作部１１９において、縮小５０％の表示されているキーが押下され、ファンクション制御部１０９に通知される。ファンクション制御部１０９において、縮小５０％のキーが押されたことをコマンド解析し、その情報をファンクション制御部に記憶する。次に操作部１１９において、コピースタートボタンが押下され、ファンクション制御部１０９に通知され、ファンクション制御部１０９において、コピースタートボタンが押下されたことをコマンド解析し、ＣＰＵ間通信Ｉ／Ｆｌ０６を通して、本体制御部１００へコピーモード、縮小５０％、置数（コピーする数：この場合は１）などのコピー情報とともにコピースタートであることを通知する。
【００３３】
装置制御部で１００では、このファンクション制御部１０９からの通知を受け、原稿給送装置制御部１１６、後処理装置制御部１１７，ＣＰＵ間通信Ｉ／Ｆ１１０を通してＨＤ制御部１１１の状態を監視し、コピースタート可能であることを判断した後に、縮小５０％であることから、画像処理部１０２にその設定を行ない、またコピーモードであることから、画像データセレクタ１０３によって画像データ圧縮／伸長部１０７、画像メモリ１０８、レーザーユニット１０４へ画像が流れるように画像パスを設定し、コピースタートであることから、原稿給送装置の状態を原稿給送装置制御部１１６を通して確認し、原稿が存在する場合には、原稿を給送するように原稿給送装置制御部１１６に指示を出し、原稿読取部１１８に対して、原稿給送装置から給送された原稿を読取れる位置に移動するように指示を出す。また、同時に後処理装置の状態を後処理装置制御部１１７を通して確認し、画像形成部１０５から印字出力される用紙の排出を受けられるように指示を出す。さらに、原稿を読取った画像が画像データセレクタ１０３、画像データ圧縮／伸長部１０７を通してＨＤに書き込まれるため、ＨＤへの画像書き込みと複数毎の原稿である場合や、置数が複数である場合には、ＨＤからの読み出しも行われるため、その設定を行なうようにＣＰＵ間通信Ｉ／Ｆ１１０を通して、ＨＤ制御部１１１に対して指示を出す。
【００３４】
また、コピー動作を行なえるように、ＣＣＤ１０１、レーザーユニット１０４、画像形成部１０５に対して、初期設定を行ない、原稿給送装置が原稿を原稿読取り位置まで給送したことを原稿給送装置制御部１１６から、後処理装置が画像形成部１０５からの印字出力用紙の排出を受けられることを後処理装置制御部１１７から、原稿台上の原稿を読取れる位置に原稿読取部１１８が達したこと、画像形成部１０５における印字出力用紙が印字可能になったことを確認し、画像読取り、画像印字出力を開始するために原稿画像の反射光をＣＣＤ１０１が光電変換している画像データを受け取るように、画像処理部１０２、画像データセレクタ１０３、画像メモリ１０８、画像データ圧縮／伸長部１０７、ＨＤ制御部１１１に画像データ取り込み開始を指示する。
【００３５】
そして、置数が１であるので、画像メモリ１０８に書き込まれた画像データが印字出力可能であるところまで書き込まれる時間を本体制御部１００で計測し、その時間に達したら、画像データセレクタ１０３、レーザーユニット１０４、画像形成部１０５に対して、印字出力開始を指示する。
【００３６】
図２は、本発明における実施例の画像形成装置を示す断面構成図である。
【００３７】
図中、２００は画像形成装置本体、２８０は自動原稿給送装置（ＤＦ）、２０１は原稿載置台としてのプラテンガラスである。２０２はスキャナであり、原稿照明ランプ２０３や走査ミラー２０４等で構成される。不図示のモータによりスキャナが所定方向に往復走査されて原稿の反射光を走査ミラー２０４〜２０６を介してレンズ２０７を透過してイメージセンサ部２０８内のＣＣＤセンサに結像する。２０９はレーザやポリゴンスキャナ等で構成された露光制御部で、イメージセンサ部２０８で電気信号に変換され、後述する所定の画像処理が行われた画像信号に基づいて変調されたレーザ先２１９を感光体ドラム２１１に照射する。感光体ドラム２１１の回りには、１次帯電器２１２、現像器２１３、転写帯電器２１６、前露光ランプ２１４、クリーニング装置２１５が装備されている。画像形成部２１０において、感光体ドラム２１１は不図示のモータにより図に示す矢印の方向に回転しており、１次帯電器２１２により所望の電位に帯電された後、露光制御部２０９からのレーザ光２１９が照射され、静電潜像が形成される。感光体ドラム２１１上に形成された静電潜像は、現像器２１３により現像されて、トナー像として可視化される。
【００３８】
一方、右カセットデッキ２２１、左カセットデッキ２２２、上段カセット２２３あるいは下段カセット２２４からピックアップローラ２２５，２２６，２２７，２２８により給紙された転写紙は、給紙ローラ２２９，２３０，２３１，２３２により本体に送られ、レジストローラ２３３により転写ベルトに給送され、可視化されたトナー像が転写帯電器２１６により転写紙に転写される。転写後の感光体ドラムは、クリーナー装置２１５により残留トナーが清掃され、前露光ランプ２１４により残留電荷が消去される。転写後の転写紙は、分離帯電器２１７によって感光体ドラムから分離され、転写ベルト２３４によって定着器２３５に送られる。定着器では加圧、加熱により定着され、排出ローラ２３６により本体２００の外に排出される。本体２００には、例えば４０００枚の転写紙を収納し得るデッキ２５０が装備されている。デッキ２５０のリフタ２５１は、ピックアップローラ２５２に転写紙が常に当接するように転写紙の量に応じて上昇し、転写紙は給紙ローラ２５３によって本体に送られる。また、１００枚の転写紙を収容し得る、マルチ手差し２５４が装備されている。
【００３９】
さらに、図２において、２３７は排紙フラッパであり、搬送パス２３８側と排出パス２４３側の経路を切り替える。２４０は下搬送パスであり、排紙ローラ２３６から送り出された転写紙を反転パス２３９を介し、転写紙を裏返して再給紙パス２４１に導く。左カセットデッキ２２２から給紙ローラ２３０により給紙された転写紙も、再給紙パス２４１に導かれる。２４２は転写紙を画像形成部２１０に再給紙する再給紙ローラである。２４４は排紙フラッパ２３７の近傍に配置されて、この排紙フラッパ２３７により排出パス２４３側に切り替えられた転写紙を機外に排出する排出ローラである。両面記録（両面複写）時には、排紙フラッパ２３７を上方に上げて、複写済みの転写紙を搬送パス２３８、反転パス２３９、下搬送パス２４０を介して再給紙パス２４１に導く。このとき、反転ローラ２４５によって転写紙の後端が搬送パス２３８から全て抜け出し、且つ、反転ローラ２４５に転写紙が噛んだ状態の位置まで反転パス２３９に引き込み、反転ローラ２４５を逆転させることによって搬送パス２４０に送り出す。
【００４０】
本体から転写紙を反転して排出する時には、排紙フラッパ２３７を上方へ上げ、反転ローラ２４５によって転写紙の後端が搬送パス２３８に残った状態の位置まで反転パス２３９に引き込み、反転ローラ２４５を逆転させることによって、転写紙を裏返して排出ローラ２４４側に送り出す。２９０は画像形成装置本体２００から排出した転写紙をそろえて閉じる排紙処理装置であり、一枚毎に排出される転写紙を処理トレイ２９４に積載してそろえる。一部の画像形成の排出が終了したら、転写紙束をステイプルして排紙トレイ２９２、又は、２９３に束で排出する。排紙トレイ２９３は不図示のモーターで上下に移動制御され、画像形成動作開始前に処理トレイの位置になるように移動する。２９１は排出された転写紙の間に挿入する区切り紙を積載する用紙トレイで、２９５は排出された転写紙をＺ折りにするＺ折り機である。また、２９６は排出された転写紙一部をまとめてセンター折りしステイプルを行なうことによって製本を行なう製本機であり、製本された紙束は排出トレイ２９７に排出される。
【００４１】
図３は、図１に示した操作部１１９の詳細図である。３０１は、テンキーで、コピーの置数や画像移動量などを入力するときに使用される。３０２は、スタートキーで、コピージョブをスタートさせるときなどに使用する。３０３はストップキーで、スタートしたジョブを途中で停止させたいときなどに押下することによって、ジョブをストップすることができる。３０４は、ＬＣＤ（表示・入力部）で、一般にコピージョブのモードを設定することや複写機の動作状態を表示するために使用される。３０５は、ユーザーモードキーであり、複写機に関する標準モードに反映させる動作や表示の設定などを行うユーザーモードの各項目の設定を行うためのキーである。
【００４２】
図１９〜図２２にユーザーモードにおけるタブ紙給紙段の設定を示している。図１９は、ユーザーモードキー３０５を押下したときに開くＬＣＤ３０４に表示される画面１０００で、設定されるべき項目がウインドウ１００１に列挙されている。上スクロールキー１００２、下スクロールキー１００３により、他の項目へとウィンドウ１Ｏ０１を移動表示する。図１９では、上側に項目がないため、上スクロールキー１００２がグレーで、押下しても反応しない状態を示している。１００４はタブ紙給紙段設定を行うためのキーで、押下すると図２０のようなタブ紙給紙段設定サブウインドウ１０１２が表示される。マルチ手差し２５４は１０１１、右カセットデッキ２２１は１０１２、左カセットデッキ２２２は１０１３，上段カセット２２３は１０１４，下段カセット２２４は１０１５，デッキ２５０は１０１６のように表示されており、タブ紙の給紙段として選択可能な給紙段１０１１，１０１４，１０１５と選択不可能な給紙段１０１２，１０１３，１０１６があることを示している。１０１８は、ＯＫキーで給紙段選択後に押下し、タブ紙給紙段設定を反映させ、図１９のユーザーモード画面へと戻る。１０１７は取消しキーであり、タブ紙給紙段設定を取り消し、図１９のユーザーモード画面へと戻る。ここで、タブ紙給紙段が設定されないときには、図２１のようにコピーを行うときのさまざまなモード設定を行う後述の応用モード画面において、タブ紙関連のモード設定キーが表示されない。しかし、タブ紙給紙段が設定されたときには、図２２のようにタブ紙インサートモードキー１０２１、タブ紙作成モードキー１０２２が表示され、タブ紙関連の設定が可能となる。
【００４３】
図１９の１００５は、自動ソート設定キーであり、押下すると自動ソート０Ｎ／ＯＦＦを設定するサブウインドウが表示され、１００６はお好みキーの設定キーであり、後述する標準画面の一部に応用モードや変倍などの設定キーを表示し、設定動作をジャンプさせるお好み機能を設定するサブウィンドウを表示する。１Ｏ０７はユーザーモードの設定を終えて、後述する標準画面へもどるための閉じるキーである。これは、ユーザーモードキー３０５を押下しても、同様に標準画面へと遷移する。
【００４４】
図４〜図９は、図３のＬＣＤ３０４の詳細な表示例である。３１０は応用モードのアイコンであり、押下すると各種モード設定を行うサブウィンドウが開く。３１２は、給紙段選択アイコンであり、押下すると図５に示すような給紙段を選択するサブウィンドウが開き、給紙段の表示・選択が行える。３１３は、試しコピーキーで、複数部あるときに、最初の１部のみを試しコピーして、サンプル出力するときに使用する。３１４は画像モードを決定するキー群で、自動濃度補正、文字モード、文字写真モード、写真モードなどの画像モードを選択し、文字モード、文字写真モード、写真モードが選択されたときには、うすく、こくのキーにより、濃度を変化させることができる。３１５は、原稿の倍率を変化させるためのキー群で、１００％等倍、縮小、拡大、１％刻みのズームキーや原稿全体をコピーするときに使用する少し小さめキーが含まれる。いずれの場合にも、原稿の倍率を変化させるもので、倍率設定後は設定された倍率が表示される。３１６はソータキーで用紙が出力された後、フィニッシングを設定する。例えば、複数枚の原稿をまとめた１部の出力を複数部出力したいときのソートモード、各原稿１ページを設定した置数分出力するグループソート、ソートモードで出力した用紙を１郡ごとにまとめてステープルするステープルモードなどがふくまれる。３１７は両面キーで原稿や用紙を片面で読み込むか、出力するかの両面モードを設定する。原稿を片面で読み込み、用紙に両面で出力する片両モード、原稿を両面で読み込み、用紙に両面で出力する両両モード、原稿を両面で読み込み、用紙に片面で出力する両片モード、原稿の片面を２分割して読み込み、用紙の両面に出力するページ連写両面モードなどが含まれる。図４には、両面モードにおける片両モードが設定されている表示例が示されており、両面アイコンの上部に片両の吹き出しが表示されている。また３１８は、図２０において説明したようなお好み機能の設定において、片面コピーが行われるときの設定がお好みキーとして表示しており、押下すると片面コピーのモード設定がされる。
【００４５】
図５は、図４の用紙選択キー３１２を押下したときに表示されるサブウインドウで画像形成装置本体２００の右カセットデッキ２２１、左カセットデッキ２２２、上段カセット２２３あるいは下段カセット２２４、デッキ２５０、マルチ手差し２５４の給紙段のうち、選択する給紙段を設定する。このとき、３２１はマルチ手差し２５４、３２２は右カセットデッキ２２１で現在Ａ４用紙が挿入されている。３２３は左カセットデッキ２２２で現在Ａ３用紙が挿入されている。３２４は上段カセット２２３で図２０においてタブ紙給紙段として設定されたタブ紙給紙段の表示がなされている。現在Ａ４サイズのタブ紙が挿入されていることを示しており、これにより、ユーザーはタブ紙をどこにセットすれば、またはどこに設定されているかを認識できる。３２５は下段カセット２２４で現在Ａ４用紙に設定されているが、用紙がないことを示している。３２６はデッキ２５０で現在Ａ３用紙が挿入されていることを示している。３２７は自動給紙選択キーで、自動給紙選択されているときには、原稿サイズと設定されたコピーモードから最適な用紙検出を自動的に行い、見つからなかった場合には、第二候補の用紙サイズを選択する。
【００４６】
図６は、応用モードキー３１１を押下したときのサブウィンドウであり、それぞれ各コピーモードを設定する機能のアイコンが表示されている。３４０はページ連写キーであり、原稿を見開きとしてみなし、２分割して二つの原稿として読み取るモードである。３４１は表紙／合紙キーであり、出力紙に表紙や裏表紙、仕切りのための合紙を給紙段選択して１部のコピーを出力させるモードである。３４２は製本モードキーであり、原稿をコピーしたときに出力紙の中央で中折りしたときに見開きの本のように出力するモードである。３４３はネガポジ反転キーであり、原稿画像の白部分を黒に、黒部分を白にコピーするモードである。３４５はタブ紙作成キーであり、図５の３２４の上カセットのようにタブ紙給紙段がある場合、タブ紙を給紙し、原稿に印字されているタブ部分に対応する画像をタブ位置に移動させてタブ紙のタブ部分に印字するモードである。３４４はタブ紙インサートキーであり、図５の３２４の上カセットのようにタブ紙給紙段がある場合、タブ紙を合紙のように仕切り用紙として使用し、タブ部分に対応するコピー原稿でタブに印字するために画像移動などを行うタブ紙インサートモードである。３４６はモードメモリキーであり、応用モードや３１６キー内で設定されたソートモード、３１５キー内で設定された変倍モード、３１４キー内で設定された画像モードなど各種モード設定をまとめて記憶させておく。３４７はコールキーであり、前回のコピー時の設定を呼び戻すことができるモードである。３４８はイメージ合成キーであり、背景の画像を登録したり、予め登録されている背景の画像を原稿に重ね合わせて出力する。
【００４７】
３４９は、原稿混載キーであり、自動原稿給送装置２８０に複数の原稿が載置され、Ａ４とＡ３が混在しているときに設定するモードである。３５０は、ＯＨＰ中差しキーであり、マルチ手差し２５４などでＯＨＰ用紙が設定されているときに、マルチ手差し２５４からＯＨＰを給紙、印字し、同じ画像を他の給紙段からの普通の用紙に印字したり、また印字せずに出力させたりするＯＨＰの中差し用紙をＯＨＰの間に入れるモードの設定を行う。３５１は移動キーであり、原稿画像を出力する用紙に対してどのように移動させるかを設定するモードである。３５２はとじ代キーであり、原稿画像を出力する用紙に対してとじ代を作成するために画像を移動させるモードである。３５３は枠消しキーであり、原稿画像の外枠を消去したり、印字時に用紙の外枠の画像を消去したりするモードである。３５４は縮小レイアウトキーであり、複数の原稿を１枚の用紙にレイアウトして印字するときに設定されるモードである。３５５は拡大レイアウトキーであり、縮小レイアウトキー３５４などで作成された１枚あたりの複数の画像を分割して、印字するモードである。３５６は、応用モードのサブウィンドウを閉じ、標準画面３１０に戻るためのキーである。
【００４８】
図７はタブ紙作成キー３４５、タブ紙インサートキー３５４が押下されたときに開くサブウィンドウであり、タブ分割数を入力する。タブ紙は一般に５枚１セットになった５タブ紙が一般的であるが、本実施例では２枚１セットの２タブ紙から１２枚１セットになった１２タブ紙を扱えるような設定をすることが可能となっている。ここでいう分割数とは１セットあたりのタブ紙の数を表している。３６０は現在設定しようとしている分割数を示しており、マイナスキー３６１、プラスキー３６２によって、増減させることが可能である。３６３はＯＫキーで、入力した分割数の設定を反映させることができる。３６４は、取り消しキーであり、このタブ分割数を入力するサブウインドウから応用モードのサブウィンドウへ設定をせずに戻るときに押下する。
【００４９】
図８は、図７において、タブ分割数のＯＫキー３６３が押下された後に出てくる画像移動量を設定するサブウィンドウである。この移動量は、原稿に含まれているタブ部分に印字される画像をタブ部に印字するために、画像を移動させるための移動量である。通常Ａ４サイズのタブ紙は１２ｍｍほど移動させればよいが、本実施例ではタブに印字する文字の大きさや原稿上の位置によりその移動量は変化するため、０から２５ｍｍの幅で移動が可能になるように設定できる。３３０は、通常の移動量である１２を減らすためのマイナスキー、３３１は増やすためのプラスキーである。３３２は現在設定しようとしている移動量を表示している部分である。３３３は、移動量の設定をキャンセルし、タブ分割数を設定するための入力画面である図７に戻るための取り消しキーである。３３４は、３３２に表示されている値を印字時に反映させるためのＯＫキーである。
【００５０】
次に、タブインサートモードにおいては、図９において、タブ紙を挿入するページ数を設定する。３７０は、挿入するページを表している挿入ページウィンドウで、１枚目のタブ紙を選択するときには、１枚目を押下し、テンキー３０１により、タブ紙を挿入したいページ数を入力する。本実施例では１枚目が２ページ目の前に設定されている。同様に２枚目３ページの前、３枚目４ページの前、４枚目５ページの前、５枚目８ページの前が設定されているのが図９の設定例である。３７１は取り消しキーで、タブ紙を挿入するページ数をキャンセルして、タブ紙への画像移動量を設定するサブウインドウ図８に戻る。３７２は、タブ紙を挿入するページが７箇所以上である場合に、挿入ページウインドウ３７０をスクロールアップするキーである。３７３は、タブ紙を挿入するページが７箇所以上である場合に、挿入ページウィンドウ３７０をスクロールダウンさせるキーである。３７４は、挿入ページウィンドウで設定されたタブ紙の挿入ページをコピージョブに反映させるためのＯＫキーであり、これにより、タブ紙インサートモードの設定が完了する。
【００５１】
このように設定されたとき、この図７〜９により設定されたタブ分割数、タブ紙画像移動量、タブ紙挿入ページからコピージョブにおいてタブ紙を１部あたりのどの位置に挿入し、タブ部に印字するための画像移動量はどれくらいで、どこのページのときに、タブ紙を給紙させればよいかが決定する。
【００５２】
図１１，１２に図７，８，９で設定されたタブインサート設定により、コピーされる原稿と出力紙の例を示す。図１０が原稿であり、図１１が出力紙である。このとき、原稿サイズと用紙サイズは一致しているが、タブ原稿とタブ紙のサイズがタブ部のみ異なる。図１０の４００が原稿４０１の間にはさまれているタブ紙に印字する原稿となる。それに対応して出力された出力紙が図１１であり、４１０がタブ紙で、タブ原稿４００に印字されていた画像が図８により設定された移動量分移動して、タブ部に印字される。
【００５３】
図１２，１３に図７，８で設定されたタブ紙作成モード設定により、コピーされる原稿と出力紙の例を示す。図１２が原稿であり、図１３が出力紙である。このとき、原稿サイズと用紙サイズは一致しているが、タブ原稿とタブ紙のサイズがタブ部のみ異なる。それに対応して出力された出力紙が図１３であり、図１３が印字後のタブ紙で、図１２のタブ原稿に印字されていた画像が図８により設定された移動量分移動して、タブ紙のタブ部に印字される。
【００５４】
図１４は、タブ紙インサートモードにおける画面のフローをまとめたものである。標準画面図４から応用モードキー３１１が押下されたときに応用モード画面図６と同じ５０１の画面が表示される。応用モード画面５０１でタブ紙インサートキー５０２が押下されたら、タブ分割数を設定するサブウインドウ図７と同じ５１０が表示される。ここでＯＫキー５１２が押下されたらタブ紙への画像移動量を設定するサブウィンドウ図８と同じ５２０が表示される。取消キー５１１が押下されたら、応用モード画面５０１へと戻る。画像移動量サブウインドウ５２０では、ＯＫキー５２２が押下されたら、インサートページ設定画面図９と同じサブウィンドウ５３０が表示される。取消しキー５２１が押下されたら、タブ分割数設定画面５１０へと戻る。インサートページ設定画面５３０では、ＯＫキー５３２が押下されたら、応用モード画面５０１へと戻り、タブ紙インサートモードにおける一連の設定が終了する。また、このとき、標準画面図４へと戻ってもよい。インサートページ設定画面５３０において、取消キー５３１が押下されたら、タブ紙の画像移動量設定画面５２０へ戻る。
【００５５】
以上がタブ紙インサートモードに関連した画面の遷移である。
【００５６】
図１５は、タブ紙作成モードにおいての画面遷移についてまとめたものである。標準画面図４から応用モードキー３１１が押下されたときに応用モード画面図６と同じ６０１の画面が表示される。応用モード画面６０１でタブ紙作成キー６０２が押下されたら、タブ分割数を設定するサブウィンドウ図７と同じ６１０が表示される。ここでＯＫキー６１２が押下されたらタブ紙への画像移動量を設定するサブウィンドウ図８と同じ６２０が表示される。取消キー６１１が押下されたら、応用モード画面６０１へと戻る。画像移動量サブウィンドウ６２０では、ＯＫキー６２２が押下されたら、標準画面図４が表示される。取消しキー６２１が押下されたら、タブ分割数設定画面６１０へと戻る。
【００５７】
以上がタブ紙作成モードに関連した画面の遷移である。
【００５８】
また、図１６には、タブ紙分割数設定とタブ紙画像移動量設定画面が同じサブウインドウ内に表示／設定できるときの画面表示７００である。図６の応用モード画面において、タブ紙インサートキー３４４、またはタブ紙作成モードキー３４５が押下されたときに、タブ紙分割数／タブ紙画像移動量設定画面７００が表示される。タブ紙分割数／タブ紙画像移動量設定画面７００では、タブ紙分割数／タブ紙画像移動量設定をやめるときに押下される取消キー７０１、タブ紙分割数／タブ紙画像移動量設定を反映させるときに押下されるＯＫキー７０２により画面の遷移が行われる。タブ紙分割数は分割数ウィンドウ７０３に表示され、マイナスキー７０４、プラスキー７０５によってその分割数を変化させることが可能である。図７の例では、分割の下限値が２、上限値が１２であるように表示されている。また、タブ紙画像移動量設定は移動量ウィンドウ７０６に表示され、マイナスキー７０７、プラスキー７０８において、その移動量を変化させることが可能である。図１６の例では、移動量の下限値が０、上限値が２５で、その単位がmmであることを表示している。この図１６を用いたときのタブ紙インサートモード設定における画面フローをまとめたものが図１７である。標準画面図４から応用モードキー３１１が押下されたときに応用モード画面図６と同じ８００の画面が表示される。応用モード画面８００でタブ紙インサートキー８０１が押下されたら、タブ紙分割数／タブ紙画像移動量設定画面図１６と同じ８１０が表示される。ここでＯＫキー８１２が押下されたら、インサートページ設定画面図９と同じサブウインドウ８２０が表示される。タブ紙分割数／タブ紙画像移動量設定画面８１０で取消キー８１１が押下されたら、応用モード画面８００へと戻る。インサートページ設定画面８２０では、ＯＫキー８２２が押下されたら、応用モード画面８００へと戻り、タブ紙インサートモードにおける一連の設定が終了する。また、このとき、標準画面図４へと戻ってもよい。インサートページ設定画面８２０において、取消キー８２１が押下されたら、タブ紙分割数／タブ紙画像移動量設定画面８１０へ戻る。
【００５９】
以上が図１６のタブ紙分割数／タブ紙画像移動量設定画面を用いた場合のタブ紙インサートモードに関連した画面の遷移である。
【００６０】
図１８は、図１６を用いたときのタブ紙作成モード設定における画面遷移をまとめたものである。標準画面図４から応用モードキー３１１が押下されたときに応用モード画面図６と同じ９００の画面が表示される。応用モード画面９００でタブ紙作成キー９０１が押下されたら、タブ紙分割数／タブ紙画像移動量設定画面図１６と同じ９１０が表示される。ここでＯＫキー９１２が押下されたら、応用モード画面９００へと戻り、タブ紙インサートモードにおける一連の設定が終了する。タブ紙分割数／タブ紙画像移動量設定画面９１０で取消キー９１１が押下されたら、応用モード画面９００へと設定を何も反映させずに戻る。また、このとき、標準画面図４へと戻ってもよい。
【００６１】
以上が図１６のタブ紙分割数／タブ紙画像移動量設定画面を用いた場合のタブ紙作成モードに関連した画面の遷移である。
【００６２】
以上のように、原稿の間にタブ紙用の原稿が挿入されているときに本文とタブ紙のタブ部への同時コピーを行うタブ紙インサートモードやタブ紙用の原稿からタブ紙のタブ部へのコピーを行うための設定を行う。
【００６３】
【発明の効果】
以上、説明してきたように本発明によれば、給紙段設定を表示手段上で行うことにより、どの給紙段がタブ給紙段であるかをユーザーに明示的に認識させることができるとともに、タブ紙インサートモード、タブ紙作成モードの設定時に給紙段を選択しなくてもよいという操作性の高い画像形成装置を提供することが可能となる。また、本発明によれば、ユーザーによるタブ紙給紙段の設定忘れを防止するとともに、タブ紙給紙段の設定がされないままタブ紙インサートモードやタブ紙作成モードが実行されることによる、無駄な原稿の読取動作が行われるのを防止できる。
【図面の簡単な説明】
【図１】本発明の画像形成装置に備えられたコントロール部の概略構成を示すブロック図である。
【図２】本発明の実施形態の画像形成装置の概略構成を示す図である。
【図３】本発明の実施形態の操作部を示す図である。
【図４】本発明の実施形態の表示画面の一例を示す図である。
【図５】本発明の実施形態の表示画面の一例を示す図である。
【図６】本発明の実施形態の表示画面の一例を示す図である。
【図７】本発明の実施形態の表示画面の一例を示す図である。
【図８】本発明の実施形態の表示画面の一例を示す図である。
【図９】本発明の実施形態の表示画面の一例を示す図である。
【図１０】タブ紙インサートモードにおける原稿を示す図である。
【図１１】タブ紙インサートモードにおける出力紙を示す図である。
【図１２】タブ紙作成モードにおける原稿を示す図である。
【図１３】タブ紙作成モードにおける出力紙を示す図である。
【図１４】本発明の実施形態のタブ紙インサートモードの画面遷移を示す図である。
【図１５】本発明の実施形態のタブ紙作成モードの画面遷移を示す図である。
【図１６】本発明による実施形態のタブ紙の分割数、移動量の表示／設定をひとつの画面で示す図である。
【図１７】本発明による実施形態の図１６の画面を使用したときのタブ紙インサートモードの画面遷移を示す図である。
【図１８】本発明による実施形態の図１６の画面を使用したときのタブ紙作成モードの画面遷移を示す図である。
【図１９】本発明の実施形態のタブ紙給紙段の設定例を示す図である。
【図２０】本発明の実施形態のタブ紙給紙段の設定例を示す図である。
【図２１】本発明の実施形態のタブ紙給紙段の設定例を示す図である。
【図２２】本発明の実施形態のタブ紙給紙段の設定例を示す図である。
【符号の説明】
５０１    モード画面
５０２    タブ紙インサートキー
５１０    タブ分割数設定画面
５１２，５２２，５３２    ＯＫキー
５２０    画像移動量設定画面
５３０    インサートページ設定画面
【図１】
0004401541.tif 000002
【図２】
0004401541.tif 000003
【図３】
0004401541.tif 000004
【図４】
0004401541.tif 000005
【図５】
0004401541.tif 000006
【図６】
0004401541.tif 000007
【図７】
0004401541.tif 000008
【図８】
0004401541.tif 000009
【図９】
0004401541.tif 000010
【図１０】
0004401541.tif 000011
【図１１】
0004401541.tif 000012
【図１２】
0004401541.tif 000013
【図１３】
0004401541.tif 000014
【図１４】
0004401541.tif 000015
【図１５】
0004401541.tif 000016
【図１６】
0004401541.tif 000017
【図１７】
0004401541.tif 000018
【図１８】
0004401541.tif 000019
【図１９】
0004401541.tif 000020
【図２０】
0004401541.tif 000021
【図２１】
0004401541.tif 000022
【図２２】
0004401541.tif 000023